(57)【要約】自己生成コンテンツを獲得し、その自己生成コンテンツに関連する追加データを決定するシステム及び装置である。コンテンツ獲得装置（１２０）は、コンテンツ入力、データ入力（１１０）、及びプロセッサ（１２２）を有し得る。データ入力は、コンテンツ、そのコンテンツの獲得時間及び／又はそのコンテンツの獲得場所を獲得する。データ入力は、時間フレームデータ及び基準場所データのうち少なくとも１つを受信する。プロセッサは、コンテンツ入力及びデータ入力に動作可能に結合され、コンテンツの獲得時間及びコンテンツの獲得場所のうち少なくとも１つと、時間フレームデータ及び基準場所データのうち少なくとも１つとの間の関係から追加データを決定するよう使用される。
2006510251.tif 000002
【特許請求の範囲】
【請求項１】
コンテンツと、前記コンテンツの獲得時間及び前記コンテンツの獲得場所のうち少なくとも１つとを獲得するよう構成されるコンテンツ入力と、
前記コンテンツ入力及びデータ入力に動作可能に結合されるプロセッサと、
を有し、
前記プロセッサは、前記コンテンツの前記獲得時間及び前記コンテンツの前記獲得場所のうち少なくとも１つと、時間フレームデータ及び基準場所データのうち少なくとも１つとの間の関係から追加データを決定するよう構成される、コンテンツ獲得装置。
【請求項２】
前記コンテンツ獲得装置は、撮像カメラである請求項１記載のコンテンツ獲得装置。
【請求項３】
全地球測位システム（ＧＰＳ）受信機を有し、
前記ＧＰＳ受信機は、前記コンテンツの前記獲得場所を前記プロセッサに供給するよう構成される請求項１記載のコンテンツ獲得装置。
【請求項４】
前記コンテンツ獲得装置は、前記時間フレームデータ及び前記基準場所データの両方を受信するよう構成され、
前記時間フレームデータは、時間間隔の始まり及び終わりであり、
前記基準場所データは、前記時間間隔の前記始まり及び前記終わりにおける前記コンテンツ獲得装置の場所である請求項１記載のコンテンツ獲得装置。
【請求項５】
前記コンテンツ獲得装置は、メモリを有し、
前記メモリは、前記獲得されたコンテンツ及び前記決定された追加データを格納するよう構成される請求項１記載のコンテンツ獲得装置。
【請求項６】
前記時間フレームデータ及び前記基準場所データのうち少なくとも１つを受信するよう構成されるオーディオ入力を有する請求項１記載のコンテンツ獲得装置。
【請求項７】
前記プロセッサは、前記オーディオ入力からオーディオデータを受信し、該オーディオ入力を、前記時間フレームデータ及び前記基準場所データのうち少なくとも１つに変換するよう構成される請求項６記載のコンテンツ獲得装置。
【請求項８】
前記時間フレームデータ及び前記基準場所データのうち少なくとも１つは、ネットワーク接続から受信される請求項１記載のコンテンツ獲得装置。
【請求項９】
前記ネットワーク接続は、前記時間フレームデータ及び前記基準場所データのうち少なくとも１つを、外部コンテンツ記憶装置から受信するよう構成される請求項８記載のコンテンツ獲得装置。
【請求項１０】
自己生成コンテンツを獲得する方法であって、
コンテンツを獲得する段階と、
前記コンテンツの獲得時間及び前記コンテンツの獲得場所のうち少なくとも１つを獲得する段階と、
時間フレームデータ及び基準場所データのうち少なくとも１つを受信する段階と、
前記コンテンツの前記獲得時間及び前記コンテンツの前記獲得場所のうち少なくとも１つと、前記時間フレームデータ及び前記基準場所データのうち少なくとも１つとの間の関係から追加データを決定する段階と、
を有する方法。
【請求項１１】
前記獲得されたコンテンツは、画像コンテンツである請求項１０記載の方法。
【請求項１２】
前記時間フレームデータ及び前記基準場所データの両方が獲得される請求項１０記載の方法。
【請求項１３】
前記時間フレームデータは、時間間隔の始まり及び終わりである請求項１２記載の方法。
【請求項１４】
前記基準場所データは、前記時間間隔の前記始まり及び前記終わりにおけるコンテンツ獲得装置の場所である請求項１２記載の方法。
【請求項１５】
オーディオ入力を受信する段階と、
前記オーディオ入力を、前記時間フレームデータ及び前記基準場所データのうち少なくとも１つに変換する段階と、
を更に有する請求項１０記載の方法。
【請求項１６】
コンテンツと、前記コンテンツの獲得時間及び前記コンテンツの獲得場所のうち少なくとも１つとを獲得するよう構成されるコンテンツ入力と、
時間フレームデータ及び基準場所データのうち少なくとも１つを受信するよう構成されるデータ入力と、
前記コンテンツ入力及び前記データ入力に動作可能に結合されるプロセッサと、
を有し、
前記プロセッサは、前記コンテンツの前記獲得時間及び前記コンテンツの前記獲得場所のうち少なくとも１つと、時間フレームデータ及び基準場所データのうち少なくとも１つとの間の関係から追加データを決定するよう構成される、コンテンツ獲得装置。
【請求項１７】
前記コンテンツ獲得装置は、前記時間フレームデータ及び前記基準場所データの両方を受信するよう構成され、
前記時間フレームデータは、時間間隔の始まり及び終わりであり、
前記基準場所データは、前記時間間隔の前記始まり及び前記終わりにおける前記コンテンツ獲得装置の場所である請求項１６記載のコンテンツ獲得装置。
【請求項１８】
位置決定システムを有し、
前記位置決定システムは、前記コンテンツの前記獲得場所を前記プロセッサに供給するよう構成される請求項１６記載のコンテンツ獲得装置。
【請求項１９】
前記ＧＰＳは、前記基準場所データを前記プロセッサに供給するよう構成される請求項１８記載のコンテンツ獲得装置。
【発明の詳細な説明】
【技術分野】
【０００１】
本発明は、一般的に、オーディオ及びビジュアルコンテンツといった自己生成コンテンツに追加情報を与える方法及びシステムに係り、特に、自己生成コンテンツに、エンハンスド場所情報といった追加データを与える方法及びシステムに係る。
【背景技術】
【０００２】
例えば、カメラからの自己生成画像コンテンツといった自己生成コンテンツを、この画像コンテンツが獲得された時間及び場所に関する追加データと共に格納するシステムがある。例えば、カムコーダ及びデジタルカメラといったカメラは、現在時刻指示を管理することが知られている。これらのカメラは、画像獲得の時間における時間指示を、デジタル画像データと共に格納する能力を有する。画像データと共に画像獲得の場所を示す全地球測位システム（ＧＰＳ）座標を格納するために、一般的に単純なＧＰＳ座標であるＧＰＳ場所指示を使用する他のカメラも周知である。
【０００３】
しかし、多くの場合、ＧＰＳ座標は、有用となるには、更には、ユーザにとって意味があるようになるには不十分な情報であるという問題がある。即ち、ＧＰＳ座標はまず、例えば、画像が獲得された街や地域といったより多くの意味を有する座標に分解されなければならない。この追加情報は、多くの場合において、依然として十分に情報を示さないかも知れない。というのは、多くの場合において、画像が獲得された場所は、時間が経過した後はユーザにとってあまり意味をなさない場合があるからである。例えば、休暇中、多くの画像は、日帰り旅行の間に獲得される。一般的な日帰り旅行は、街Ａからスタートして、街Ｂに移動し、次に、街Ｃに移動し、そして、その日の終わりに、街Ｄに移動することが含まれ得る。画像は場所Ｘにおいて獲得されたという情報は、例えば、画像は街Ｂから街Ｃに続く道のどこかで獲得されたという情報より意味がずっと少ない。更に、従来のシステムでは、画像データと共に格納される場所情報は、画像獲得の時間においてのみ決定且つ格納される。多くの場合、関連の場所情報が決定されるのは、画像が獲得されてからしばらく経過した後である。
【発明の開示】
【発明が解決しようとする課題】
【０００４】
従って、本発明は、上述した従来技術の不利点及び他の不利点を解決することを目的とする。
【課題を解決するための手段】
【０００５】
本発明は、自己生成コンテンツを獲得し、その自己生成コンテンツに関連する追加データを決定する、カメラシステムといったシステムを提供する。１つの実施例では、コンテンツ獲得装置は、コンテンツ入力、データ入力、及びプロセッサを有し得る。コンテンツ入力は、コンテンツを獲得する、更には、そのコンテンツの獲得時間及び／又はそのコンテンツの獲得場所を獲得するよう使用される。データ入力は、時間フレームデータ及び基準場所データのうち少なくとも１つを受信する。プロセッサは、コンテンツ入力及びデータ入力に動作可能に結合され、コンテンツの獲得時間及びコンテンツの獲得場所のうち少なくとも１つと、時間フレームデータ及び基準場所データのうち少なくとも１つとの間の関係から追加データを決定するよう使用される。
【０００６】
コンテンツ獲得装置は、写真カメラ、動画カメラ、又はカムコーダといった撮像カメラであり得る。コンテンツ獲得装置は、コンテンツの獲得場所をプロセッサに供給するようプロセッサに結合される全地球測位システム（ＧＰＳ）受信機を有し得る。コンテンツ獲得装置は、時間フレームデータ及び基準場所データの両方を使用して、追加データを決定し得る。時間フレームデータは、時間間隔の始まり及び終わりであり得る。基準場所データは、時間間隔の始まり及び終わりにおけるコンテンツ獲得装置の場所であり得る。
【０００７】
コンテンツ獲得装置は、獲得したコンテンツと決定した追加データを格納するためのメモリも有し得る。更に、コンテンツ獲得装置のデータ入力は、オーディオ入力を受信するマイクロホンであり得、オーディオ入力は、時間フレームデータ及び／又は基準場所データにプロセッサによって変換される。コンテンツ獲得装置のデータ入力は、ワールドワイドウェブ（ＷＷＷ）といった外部ネットワーク、又は、コンピュータ或いは外部記憶装置といった外部データ源にも接続可能である。
【発明を実施するための最良の形態】
【０００８】
以下は、図面とともに考慮されると、上述した特徴及び利点、並びに更なる特徴及び利点を示す本発明の実施例の説明である。図面及び説明は、例示目的のために含まれ、本発明の範囲を表すものではないことを明らかに理解するものとする。本発明は、添付図面とともに考慮することにより最良に理解できるであろう。
【０００９】
図１は、撮像システム（図示せず）といったコンテンツ獲得装置を有する、本願において以下カメラ１２０と称するコンテンツ獲得装置を有する本発明の実施例である例示的なシステム１００を示す。コンテンツ獲得装置は、プロセッサ１２０に動作可能に結合される。例えば、デジタル画像コンテンツを獲得するデジタルカメラの撮像システムといったようにコンテンツを獲得するコンテンツ獲得装置の動作は、当該技術において周知であり、本発明の新規性を更に説明するために必要な以外は、本願では更には説明しない。本発明の実施例における動作を容易にするために、プロセッサ１２２は、メモリ１２６、マイクロホン１２８といったオーディオ入力、及び、ＧＰＳ受信機１２４といった座標分解装置に動作可能に結合され得る。尚、これらの素子のそれぞれは、周知の撮像システムに応じて動作し得る。例えば、メモリ１２６は、当該技術において周知であるように、カメラ１２０によって獲得され、プロセッサ１２２によって分解された撮像コンテンツを格納するよう用いられ得る。
【００１０】
本発明の実施例では、カメラ１２０は更に、データ入力１１０を有し得る。データ入力１１０は、インターネット接続１３０に結合するよう示され、これは、カメラ１２０を、ワールドワイドウェブ（ＷＷＷ）を介してデータサーバに動作可能に結合させる。データ入力１１０は更に、例示的に示すコンピュータ１４０といったローカルデータ源にも結合される。尚、本発明の範囲は、図１に示す例示的なデータ源に制限されることを意図しない。何故なら、任意のデータ源が、本発明の動作のために十分であり得るからである。例えば、データ源は、光学記憶装置、固定ディスク記憶装置、半導体記憶装置等といった任意のデータ源で容易にあり得る
更にデータ入力１１０は、カメラ１２０をデータ源に動作可能に結合する任意の手段に対応することを理解すべきである。例えば、データ入力１１０は、有線又は無線イーサネット（登録商標）接続を介してデータ源に結合させるイーサネット（登録商標）インタフェースを有し得る。汎用シリアルバス（ＵＳＢ）結合、ワイヤレス８０２．１１結合、ブルートゥース結合、Ｗｉ−Ｆｉ（ワイヤレスフィデリティ）結合等の他の結合手段も周知である。これらのうちのどれか又は他の結合システムを、本発明に好適に使用し得る。データ入力は、コンパクトフラッシュ（登録商標）メディア、セキュアデジタルマルチメディアカード等のローカルリムーバブル記憶媒体も包含することを理解すべきである。
【００１１】
本発明の実施例では、カメラ１２０は更に、データ入力１１０、メモリ１２６、マイク１２８、及び／又はＧＰＳ受信機１２４のうち少なくとも１つを使用して追加データを捕捉及び／又は決定することも可能であり得る。追加データは、獲得された画像データに関連付けられたメモリ場所においてメモリ１２６内にあるときに格納される。追加データは、ＧＰＳ受信機１２４によって供給される生のＧＰＳ座標データに追加してのものである。追加データは、ユーザに、例えば、画像が獲得された場所の詳細をユーザが思い出すことを支援するのに意味のあるエンハンスド場所情報を供給することを意図する。この追加データは、例えば、獲得した画像データの意義をユーザが後から思い出し得るよう想起エイドとして作用するよう、幾らか時間が経過した後に、ユーザによって画像データと共に取出しされる。
【００１２】
本発明の更なる動作は、図１に示す例示的なシステム１００と、本発明の実施例によるフローチャート２００を示す図２を参照して説明する。図示するように、段階２０５において、ＧＰＳ座標データに例示的に関連する時間フレーム及び／又は基準場所データが、カメラ１２０により受信される。時間フレーム及び／又は基準場所データは、プロセッサ１２２による後での使用のためにメモリ１２６の一部分内に格納され得る。データ入力１１０が、ローカル記憶媒体に対応する１つの実施例では、時間フレーム及び／又は基準場所データは、ローカル記憶媒体から受信され得る。同じ又は更なる実施例では、カメラ１２０は、時間フレーム及び／又は基準場所データを、インターネット１３０、コンピュータ１４０、及び／又は任意の他の外部データ記憶装置から受信し得る。
【００１３】
本発明の１つの実施例では、時間フレーム及び／又は基準場所データは、例えば、画像といったコンテンツがカメラ１２０によって獲得されたＧＰＳ座標に関連した意味のある情報（例えば、特徴）をユーザに供給するようカメラ１２０によって使用される。例えば、基準場所データは、１０万人以上の人口密度を有する市といった有意の人口密度を有する街及び／又は市に対応し得る。尚、任意の数以上の人口密度は、一部の実施例では、所与のユーザにとって意義のある特徴を決定するために使用される特徴ではない場合もある。しかし、大きい人口密度（例えば、＞１０万人）を有する場所は、小さい人口密度を有する場所よりは、ユーザにとって意義のある特徴でむしろあり得る。
【００１４】
ユーザにとって意義のある特徴であり得る他の特徴は、例えば、ユーザ又はユーザの知っている他の人々の誕生場所を有し得る。意義のある特徴は更に、ユーザ又はユーザの知っている他の人々の住居であり得る。場所がユーザにとって意義のある特徴であるようにする他の場所の特質は、当業者には容易に明らかであり、また、本発明において使用される特徴であり得る。従って、これらの他の特徴のいずれも本発明の範囲内であることを理解すべきである。
【００１５】
特徴がユーザの個人情報を有する実施例では、データ入力１１０は、コンピュータマウス入力、キーボード入力、又はユーザによる直接的な個人情報の入力を容易にするのに特に適した他の周知の入力であり得る。本発明では、プロセッサ１２２は、ＧＰＳ受信機１２４から決定される、又は、データ入力１１０を介して結合される別の座標データ源から決定されるＧＰＳ座標データに対応する又は非常に近接する基準場所データを決定する能力を有し得る。時間フレーム及び／又は基準場所データも、以下に更に説明するように画像獲得に関連する特徴といった他の意義のある特質を特定するよう用いられ得る。
【００１６】
段階２１０において、カメラ１２０は、画像を獲得する。更に、プロセッサ１２２は、画像獲得時間データとＧＰＳ座標データを、ＧＰＳ受信機１２４から受信し得る。ＧＰＳ座標データは、画像が獲得された場所を特定し得る。段階２２０において、プロセッサ１２２は、獲得した画像に対応するＧＰＳ座標データ、画像獲得時間データ、及び画像データを、メモリ１２６内に格納する。尚、プロセッサ１２２は、画像獲得時間データを決定する時間管理装置として使用されるか、又は、ＧＰＳ受信機１２４又は図示しない他の
装置といった別個の時間管理装置が、画像獲得時間データを決定するためにカメラ１２０内に含まれてもよい。プロセッサ１２２は、時間管理装置を使用して、画像獲得時間における現在時刻を捕捉し、それにより、画像獲得時間データを決定する。
【００１７】
図３は、本発明により獲得された画像に関連するデータを格納するメモリ１２６の一部分３００を示す。図示するように、一部分３００は、画像データを格納するための部分３１０と、ＧＰＳ座標データを格納するための部分３２０と、画像獲得時間データを格納するための部分３３０、及び追加データを格納するための部分３４０を有する。追加データは、以下に更に説明する。本発明では、段階２２０は、一回以上繰り返されてもよく、そして、獲得された任意の追加データは、メモリ１２６内に同様に格納され、追加のメモリ部分３００が結果として得られる。
【００１８】
段階２３０において、プロセッサ１２２は、段階２２０において獲得された画像データに対応するＧＰＳ座標データ及び／又は画像獲得時間データについて１つ以上のメモリ部分３００に問い合わせする。時間フレーム及び／又は基準場所データを用いて、特定の関心の特質といった特徴に対応する追加データが、プロセッサ１２２によって決定され、獲得された画像のそれぞれに対して、部分３４０内に格納される。
【００１９】
例えば、１つの実施例では、時間フレームデータは、一日の間隔といったように時間の間隔に関係し得る。本発明の１つの実施例では、プロセッサ１２２は、一日間隔の始まりと終わりにおける基準場所データを決定する。基準場所データは、一日間隔の始まりと終わりにおける、カメラ１２０が設置される場所、又は、カメラ１２０が付近に設置される場所（例えば、高い人口密度を有する場所）に対応し得る。この実施例では、１つ以上の一日間隔の始まりと終わりにおけるカメラ１２０が設置された場所を決定した後、プロセッサ１２２は、１つ以上の一日間隔のそれぞれの間に獲得された画像を特定するよう１つ以上のメモリ部分３３０に問い合わせをする。画像が、ある一日間隔の間に獲得された画像であると特定されると、その一日間隔の始まりと終わりにおけるカメラ１２０の対応する場所が、部分３４０に、その画像用の追加データとして格納される。このようにして、段階２４０において、プロセッサ１２２が、画像部分３００内に格納されたデータを取出しするよう使用されると、部分３４０内に格納された追加データも取出しされる。本発明のシステム１００は、しばしば画像が獲得された単なる場所よりもユーザにとってより意義のある特徴であり得る、各獲得画像に対する追加データをユーザが取出しすることを可能にする。
【００２０】
しばしば、画像は、ユーザが一日のうちで移動する間に獲得される。画像が獲得された所与の場所は、途中にあった興味を引いた店にしか過ぎない場合がある。しかし、時々、時間が経過した後で、獲得画像のそれぞれの過去の出来事や旅行との関連を決定することが困難な場合がある。本発明は、各獲得画像に追加データを決定することによって、この問題を解決する。追加データは、画像獲得の時間及び場所だけ以外の特徴に関連し、それにより、各獲得画像の意義を思い出すのを助ける更なる手掛かりをユーザに与え得る。
【００２１】
例えば、ニューヨーク市からナイアガラ滝への日帰り旅行をするユーザは、画像を獲得するのに魅力的なスポットである湖に立ち寄り得る。そのスポットの正確な場所は、ユーザにはあまり意義がない場合がある。しかし、そのスポットが、ニューヨーク市とナイアガラ滝（所与の一日間隔におけるカメラ１２０の始まりと終わりの場所）との間に位置するという追加データは、獲得画像との関連をユーザが思い出すことを助けるのに欠かせない特徴となり得る。結局のところ、しばしば、ユーザにとって意義があるのは獲得画像の構成だけではない。獲得画像は、獲得画像との関連を思い出す能力をユーザが有する場合にのみユーザにとって意義があり得る。しかし、多くの場合、ユーザは、従来技術の画像獲得システムを用いてでは、この能力を有さない。何故なら、画像自体、更には、画像獲得時間及び画像獲得場所といった追加データは、画像獲得から幾らか時間が経過した後は、ユーザにとってあまり意義がないからである。この実施例では、データ入力１１０は、プロセッサ１２２、メモリ１２６、及び／又はＧＰＳ受信機１２４から別個である必要はない。何故なら、時間フレーム及び／又は基準場所データは、これらの装置のそれぞれ又はこれらの装置のいずれかから得られ得るからである。
【００２２】
本発明のシステムは、各獲得画像の意義を決定する際にユーザを支援する追加データをユーザに与える。受信した時間フレーム及び／又は場所座標データから決定される追加データは、獲得画像データと共に格納され、その画像データが取出しされるときに、ユーザによって取出しされる。
【００２３】
別の例として、画像データは、ユーザの居住地からユーザの両親の居住地に移動する際の一回以上の日帰り旅行の間に獲得され得る。ここでも、画像データの意義は、画像データが獲得された場所ではなく、その旅行自体とのユーザの関係であり得る。ここでは、一部の追加データは、旅行が開始された場所と、ユーザにとって意義のある場所であり得る。このデータは、ＧＰＳ受信機１２４を介して旅行の始まりにおいて決定され得る。
【００２４】
更に、追加データは、マイク１２８といった他のデータ源から決定されてもよい。この実施例では、プロセッサ１２２は、マイク１２８からオーディオ入力を受信し、その後、そのオーディオ入力を、音声認識を介して音声に変換し得る。認識された音声は、本発明において使用される基準場所データを決定するために用いられ得る。例えば、ユーザは、「私は、母の家に向かう途中です」というユーザの発言から音声を捕捉するようマイク１２８をアクティブにし得る。この音声は、プロセッサ１２２によって解析され、母親の家までの旅行の間に獲得される任意の画像の意義を示す基準場所データを決定する。その後、獲得された画像のＧＰＳ座標データが、画像はこのルート（例えば、母親の家に向かう途中）で獲得されたのか否かを決定するよう解析される。画像がこのルート上で獲得された場合、この画像と共に格納された追加データは、画像は母親の家に向かう途中で獲得されたものであることを特定するデータである。
【００２５】
画像は、基準場所データがカメラ１２０に供給される前又は供給された後に獲得されてもよい。例えば、基準場所データが、始まり及び終わり場所である場合、画像は、プロセッサ１２２が終わり場所を決定する前に獲得され得る。プロセッサ１２２は、始まり場所を獲得画像と共に格納し、幾らか時間が経過した後に、終わり場所を同じ獲得画像と共に格納し得る。意義のある場所（例えば、高い人口密度を有する場所又は観光名所）を特定する追加特徴は、カメラ１２０がデータ入力１１０を介してデータ源に接続されてから幾らか時間が経過する後まで決定されない場合もある。任意のイベントにおいて、カメラ１２０が、基準場所データといった他の関連データを獲得すると常に、プロセッサ１２２は、この関連のデータを追加データとして、関連付けられる獲得画像と共に格納し得る。
【００２６】
プロセッサ１２２は、他の追加データを特定するためにロジックも使用し得る。例えば、プロセッサ１２２は、「私は、母の家に向かう途中です」という音声データを使用して、所与の時間フレーム（例えば、旅行の時間フレームあたり）での母親の家の周りで獲得した画像の追加データを決定し得る。追加データは、「この日（例えば、開始日）からその日（例えば、終了日）までの母親の家への旅行の間に獲得された画像」であり得る。
【００２７】
別の実施例では、プロセッサ１２２は、一日の終わりにおいてカメラの場所を決定し、その後、翌日の場所が同じであるか否かを決定し、それにより、滞在場所を示し得る。滞在場所である場所の指示は更に、その滞在場所に近い時間又は場所において獲得された画像のための追加データとしてメモリ部分３４０内に格納され得る。
【００２８】
更に別の実施例において、本発明の装置は、旅行の説明を生成するよう動作し得る。旅行中、画像獲得時間及び画像獲得場所は格納される。旅行の間又は旅行の後、画像獲得場所は、道路の番号、街等のより理解可能な説明に変換され、そして、追加データとして保存され得る。このようにして、所与のルートに沿って撮られた獲得画像は、追加データとして保存される所与のルートと共に格納され得る。
【００２９】
尚、当業者は、図２に示す段階の順序は、請求項を制限するものではないことを理解するものとする。具体的に、図示する段階の他の順序も、本発明に従って動作するよう構成し得る。例えば、１つの実施例では、画像獲得時間及び／又は画像獲得場所を含む全ての画像データは、カメラ１２０が任意の時間フレームデータ及び／又は基準場所データを受信する前に獲得されてもよい。更に、時間フレームデータは、後の時間に、又は、基準場所データとは別個のデータ源から受信されてもよい。
【００３０】
最後に、上述した議論は、本発明を例示するに過ぎず、請求項を特定の実施例又は実施例群に制限すると解釈すべきではない。例えば、他の特徴も、当業者は容易に想到できるであろうし、それらは、本発明の範囲内であると解釈されるべきである。更に、複数の特徴が、獲得画像の追加データとして、１つ以上の獲得画像に対して格納されてもよい。プロセッサは、本発明に従って実行する専用プロセッサであっても、多くの機能のうちの１つのみが本発明に従って実行される汎用プロセッサであってもよい。プロセッサは、プログラム部分、複数のプログラムセグメントを用いて動作するか、又は、専用又は汎用集積回路を使用するハードウェア装置であり得る。メモリ１２６は、１つ以上の半導体メモリ、１つ以上の光学メモリ、又は周知のメモリ装置の任意の他の組み合わせから構成され得る。カメラ１２０は、画像獲得の時間において１つ以上の画像を捕捉してもよい。従って、カメラは、カムコーダといった動画カメラであってもよい。更に、他の自己生成コンテンツにも、本発明の追加データが与えられてもよい。他の自己生成コンテンツは更に、オーディオコンテンツ（例えば、音声記録）を含み得る。従って、本願で用いるカメラという用語は、自己生成コンテンツを獲得する他の装置も包含すると理解すべきである。図１に具現化される装置は、実際には、１つ以上の別個の装置であり得る。例えば、プロセッサ１２２、ＧＰＳ受信機１２４、データ入力１１０、メモリ１２６等は、１つの装置内に具現化されてもよい。この実施例又は他の実施例では、時間フレームデータ及び／又は基準場所データ、及び、画像獲得時間及び／又は画像獲得場所は、タイミング部分及び／又は位置決め部分を有する単一の装置から獲得されてもよい。
【００３１】
更に、ＧＰＳ受信機１２４といったＧＰＳ受信機という用語は、現在の位置を決定可能であると知られる他の装置及びシステムを含むものとする。例えば、他の装置は、セル式電話網内のセル式送信機を含み得る。電話網が、セル式送信機の位置を決定し、その後、カメラ１２０にこの場所データを送信し得る。従って、場所データは、カメラ１２０によって決定される必要はなく、カメラの外部で決定されてもよい。実際に、場所データは、カメラの外部で決定され、カメラの外部で管理されてもよい。この実施例又は上述したような他の実施例では、追加データは、カメラ１２０の外部で決定されてもよい。追加データは、メモリ１２６といったメモリ又は外部メモリ内に格納されるようカメラ１２０に伝送され得る。外部メモリが使用される実施例では、画像データは、後に、画像メモリ内に、追加データと共に格納され得る。
【００３２】
多数の代案の実施例が、当業者によって、本発明の精神及び範囲から逸脱することなく考えられ得る。
【００３３】
請求項を解釈する際に、以下のことが理解されるべきである。
【００３４】
ａ）「有する」という用語は、所与の請求項の中に列挙される素子及び段階以外の素子及び段階の存在を排除するものではない。
【００３５】
ｂ）単数形で示される素子は、そのような素子が複数存在することを排除するものではない。
【００３６】
ｃ）請求項内の任意の参照符号は、その請求項の範囲を制限するものではない。
【００３７】
ｄ）幾つかの「手段」は、１つの同じアイテム又はハードウェア又はソフトウェアによって実施される構造又は機能によって表現され得る。
【００３８】
ｅ）開示する素子のそれぞれは、ハードウェア部分（例えば、別個の電子回路）、ソフトウェア部分（例えば、コンピュータプログラミング）、又はそれらの任意の組み合わせによって構成され得る。
【００３９】
ｆ）開示する装置又はその装置の一部は、特に記載されない限り、一緒に組み合わされても、又は、更なる部分に分けられてもよい。
【００４０】
ｇ）特に記載がない限り段階の特定の順序を意図するものではない。
【図面の簡単な説明】
【００４１】
【図１】本発明の実施例によるシステムの例示的な実施例を示す図である。
【図２】本発明の実施例によるシステムの動作を説明するフローチャートである。
【図３】本発明に従って獲得された画像に関連するデータを格納するためのメモリ１２６の部分３００を示す図である。
【図１】
2006510251.tif 000003
【図２】
2006510251.tif 000004
【図３】
2006510251.tif 000005
【国際調査報告】
2006510251.tif 000006
2006510251.tif 000007